(57)【特許請求の範囲】
【請求項１】
ボール枠構造体に結合されており、その非力受け面に平滑面が設けられており、その力受け面に係り突起が設けられている複数の係合構造体と、
ボール袋と、複数のバンドと、から構成され、前記ボール袋の周囲に複数の前記バンドが設けられており、前記バンドに係り穴が設けられており、前記係り穴は、前記係合構造体の直径よりやや大きく、前記係合構造体に嵌め込み可能であり、前記ボール袋の重量により、前記係り穴の力受け面が前記係合構造体の力受け面に押付け、前記係り突起により、前記係り穴が前記係合構造体からスライドして脱出できず、前記ボール袋を取り外したいときには、一つの手の指によって前記バンドを引き上げると、前記係り穴の非力受け面が前記係合構造体の前記平滑面に押付けて、前記係り穴が前記係合構造体からスムーズに脱出可能であるボール袋構造体と、
を含むことを特徴とするボール枠とボール袋用係合構造体。
【請求項２】
前記係合構造体の数量は三つ以上であることを特徴とする、請求項１に記載のボール枠とボール袋用係合構造体。
【請求項３】
前記係合構造体の数量は四つであることを特徴とする、請求項２に記載のボール枠とボール袋用係合構造体。
【請求項４】
ボール枠構造体に一体成形され、その非力受け面に平滑面が設けられており、その力受け面に係り突起が設けられている複数の係合構造体と、
ボール袋と、複数のバンドと、から構成され、前記ボール袋の周囲に複数の前記バンドが設けられており、前記バンドに係り穴が設けられており、前記係り穴は、前記係合構造体の直径よりやや大きく、前記係合構造体に嵌め込み可能であり、前記ボール袋の重量により、前記係り穴の力受け面が前記係合構造体の力受け面に押付け、前記係り突起により、前記係り穴が前記係合構造体からスライドして脱出できず、前記ボール袋を取り外したいときには、一つの手の指によって前記バンドを引き上げると、前記係り穴の非力受け面が前記係合構造体の前記平滑面に押付けて、前記係り穴が前記係合構造体からスムーズに脱出可能であるボール袋構造体と、
を含むことを特徴とするボール枠とボール袋用係合構造体。
【請求項５】
前記係合構造体の数量は三つ以上であることを特徴とする、請求項４に記載のボール枠とボール袋用係合構造体。
【請求項６】
前記係合構造体の数量は四つであることを特徴とする、請求項５に記載のボール枠とボール袋用係合構造体。
【発明の詳細な説明】
【技術分野】
【０００１】
本発明は、ボール枠に関し、特に、係合構造体に設けられている係り突起により、使用中のボール袋をボール枠に安定的に固定可能であり、係合構造体に設けられている平滑面により、指によってボール袋のバンドをボール枠から容易かつ迅速に取り外し可能であるボール枠とボール袋用係合構造体に関するものである。
【背景技術】
【０００２】
図１を参照する。図１は従来の係合構造体がボール枠に適用される状態を示す斜視図である。係合構造体１０は、四周又は周面に凸縁１１が設けられている。これにより、ボール袋１３に多数のボール１２を入れると、ボール袋１３の両側に設けられているバンド係り穴１４が凸縁１１に緊密に押付けるため、ボール袋１３を引き上げたいときには、凸縁１１の存在により、バンド係り穴１４の脱出が凸縁１１に止められる。ユーザは、一つの手でボール枠１５をやや押し上げて、別の手でバンド係り穴１４の中心を凸縁１１の中心に合わせてバンドを引き上げないと、バンド係り穴１４を凸縁１１から脱出できない。そうすると、ボール枠１５からボール袋１３を取り外すことは、極めて面倒である。
【発明の概要】
【発明が解決しようとする課題】
【０００３】
本発明の目的は、係合構造体に設けられている係り突起により、使用中のボール袋をボール枠に安定的に固定可能であり、係合構造体に設けられている平滑面により、指によってボール袋のバンドをボール枠から容易かつ迅速に取り外し可能であるボール枠とボール袋用係合構造体を提供することにある。
【課題を解決するための手段】
【０００４】
本発明のボール枠とボール袋用係合構造体によると、ボール枠構造体に結合されており、その非力受け面に平滑面が設けられており、その力受け面に係り突起が設けられている複数の係合構造体と、
ボール袋と、複数のバンドと、から構成され、ボール袋の周囲に複数のバンドが設けられており、バンドに係り穴が設けられており、係り穴は、係合構造体の直径よりやや大きく、係合構造体に嵌め込み可能であり、ボール袋の重量により、係り穴の力受け面が係合構造体の力受け面に押付け、係り突起により、係り穴が係合構造体からスライドして脱出できず、ボール袋を取り外したいときには、一つの手の指によってボンドを引き上げると、係り穴の非力受け面が係合構造体の平滑面に押付けて、係り穴が係合構造体からスムーズに脱出可能であるボール袋構造体と、
を含むことを特徴とする。
【０００５】
本発明のボール枠とボール袋用係合構造体によると、係合構造体の数量は三つ以上であることを特徴とする。
【０００６】
本発明のボール枠とボール袋用係合構造体によると、係合構造体の数量は四つであることを特徴とする。
【０００７】
本発明のボール枠とボール袋用係合構造体によると、ボール枠構造体に一体成形され、その非力受け面に平滑面が設けられており、その力受け面に係り突起が設けられている複数の係合構造体と、
ボール袋と、複数のバンドと、から構成され、ボール袋の周囲に複数のバンドが設けられており、バンドに係り穴が設けられており、係り穴は、係合構造体の直径よりやや大きく、係合構造体に嵌め込み可能であり、ボール袋の重量により、係り穴の力受け面が係合構造体の力受け面に押付け、係り突起により、係り穴が係合構造体からスライドして脱出できず、ボール袋を取り外したいときには、一つの手の指によってボンドを引き上げると、係り穴の非力受け面が係合構造体の平滑面に押付けて、係り穴が係合構造体からスムーズに脱出可能であるボール袋構造体と、
を含むことを特徴とする。
【０００８】
本発明のボール枠とボール袋用係合構造体によると、係合構造体の数量は三つ以上であることを特徴とする。
【０００９】
本発明のボール枠とボール袋用係合構造体によると、係合構造体の数量は四つであることを特徴とする。
【発明の効果】
【００１０】
本発明のボール枠とボール袋用係合構造体によれば、係合構造体に設けられている係り突起により、使用中のボール袋をボール枠に安定的に固定可能であり、係合構造体に設けられている平滑面により、指によってボール袋のバンドをボール枠から容易かつ迅速に取り外し可能であるという効果を有する。
【図面の簡単な説明】
【００１１】
【図１】従来の係合構造体がボール枠に適用される状態を示す斜視図である。
【図２】本発明に係る係り構造体の一実施形態を示す斜視図である。
【図３】本発明に係る係り構造体の一実施形態を示す側面図である。
【図４】本発明に係る係り構造体がボール枠に適用される状態を示す斜視図である。
【図５】本発明に係る係り構造体が適用されるボール枠にボール袋が組み付けられている状態を示す斜視図である。
【図６】本発明に係る係り構造体が適用されるボール枠にボール袋が組み付けられており、ボール袋にボールが多数に入れられている状態を示す斜視図である。
【図７】本発明に係るバンドがボール袋、又はボール袋及びボールに引かれて、バンド係り穴の力受け面が係り構造体の力受け面に押付ける状態を示す断面図である。
【図８】指によって、バンド係り穴の非力受け面を係り構造体の平滑面に押付けて上方にスライドして脱出する動作を示す図である。
【図９】本発明に係る係り構造体が適用される別のボール枠にボール袋が組み付けられており、ボール袋にボールが多数に入れられている状態を示す斜視図である。
【図１０】本発明に係る係り構造体が適用される更に別のボール枠にボール袋が組み付けられている状態を示す斜視図である。
【発明を実施するための最良の形態】
【００１２】
以下、本発明の実施の形態を図面に基づいて説明する。
【００１３】
図２から図１０を参照する。図２は本発明に係る係り構造体の一実施形態を示す斜視図であり、図３は本発明に係る係り構造体の一実施形態を示す側面図であり、図４は本発明に係る係り構造体がボール枠に適用される状態を示す斜視図であり、図５は本発明に係る係り構造体が適用されるボール枠にボール袋が組み付けられている状態を示す斜視図であり、図６は、本発明に係る係り構造体が適用されるボール枠にボール袋が組み付けられており、ボール袋にボールが多数に入れられている状態を示す斜視図であり、図７は、本発明に係るバンドがボール袋、又はボール袋及びボールに引かれて、バンド係り穴の力受け面が係り構造体の力受け面に押付ける状態を示す断面図であり、図８は、指によって、バンド係り穴の非力受け面を係り構造体の平滑面に押付けて上方にスライドして脱出する動作を示す図であり、図９は、本発明に係る係り構造体が適用される別のボール枠にボール袋が組み付けられており、ボール袋にボールが多数に入れられている状態を示す斜視図であり、図１０は本発明に係る係り構造体が適用される更に別のボール枠にボール袋が組み付けられている状態を示す斜視図である。本実施形態に係るボール枠とボール袋用係合構造体は、複数の係合構造体２０と、ボール袋構造体４０と、含む。
【００１４】
複数の係合構造体２０は、ボール枠構造体に結合されており、又はボール枠構造体に一体成形され、非力受け面２１に平滑面２２が設けられており、力受け面２３に係り突起２４が設けられている。
【００１５】
ボール袋構造体４０は、ボール袋４１と、複数のバンド４２と、から構成される。ボール袋４１の周囲に複数のバンド４２が設けられている。バンド４２に係り穴４２１が設けられている。係り穴４２１は、係合構造体２０の直径よりやや大きく、係合構造体２０に嵌め込み可能である。ボール袋４１の重量、又はボール袋４１とボール４３との重量により、係り穴４２１の力受け面４２２が係合構造体２０の力受け面２３に押付ける。係り突起２４により、係り穴４２１が係合構造体２０からスライドして脱出できない。なお、ボール袋４１を取り外したいときには、一つの手の指によってボンド４２を引き上げると、係り穴４２１の非力受け面４２３が係合構造体２０の平滑面２２に押付けて、係り穴４２１が係合構造体２０からスムーズに脱出可能である。
【００１６】
係合構造体の数量は三つ以上である。
【００１７】
係合構造体の数量は四つであることが好ましい。
【００１８】
本実施形態に係るボール枠とボール袋用係合構造体は、ボール枠構造体３０と、ボール袋構造体４０と、複数の係り構造体２０と、を含む。係り構造体２０は、非力受け面２１に平滑面２２が設けられており、力受け面２３に係り突起２４が設けられている。ボール袋４１に入れられているボール４３の数量が多くなると、ボール袋４１が下方に沈んで、バンド４２が引っ張られる。このとき、バンド４２に設けられている係り穴４２１の力受け面４２２が係合構造体２０の力受け面２３に押付け、係り穴４２１の力受け面４２２が、図７に示すように、係り構造体２０の力受け面２３の係り突起２４に止められる。これにより、ボール枠構造体３０にボール袋４１を安定的に固定可能である。なお、ボール袋４１を利用したくなく、ボール袋４１を取り外したいときには、図８に示すように、一つの手の指によって、ボール袋４１とボール枠構造体３０との間に位置するボンド４２を引き上げると、係り穴４２１の非力受け面４２３が係合構造体２０の平滑面２２に押付けて、係り穴４２１を係合構造体２０からスムーズに脱出可能である。そうすると、ボール枠構造体３０からボール袋４１を取り外すことは、極めて容易かつ簡単となる。
【産業上の利用可能性】
【００１９】
本発明は、ボール枠とボール袋との係合構造体に適用することができる。
【符号の説明】
【００２０】
１０  係合構造体
１１  凸縁
１２  ボール
１３  ボール袋
１４  バンド係り穴
１５  ボール枠
２０  係り構造体
２１  非力受け面
２２  平滑面
２３  力受け面
２４  係り突起
３０  ボール枠構造体
４１  ボール袋
４２  バンド
４３  ボール
４０  ボール袋構造体
４２１  係り穴
４２２  力受け面
４２３  非力受け面
【要約】      （修正有）【課題】使用中のボール袋をボール枠に安定的に固定可能であり、指によってボール袋のバンドをボール枠から容易かつ迅速に取り外し可能であるボール枠とボール袋用係合構造体の提供。【解決手段】ボール枠構造体１５に結合されており、その非力受け面に平滑面が設けられており、その力受け面に係り突起が設けられている複数の係合構造体１０と、ボール袋と、ボール袋の周囲に設けられた複数のバンドとから構成され、バンドに係り穴１４が設けられている。使用時はボール袋の重量により、係り穴の力受け面が係合構造体の力受け面に押付け、係り突起により、係り穴が係合構造体からスライドして脱出できず、ボール袋を取り外したい時には、一つの手の指によってバンドを引き上げると、係り穴が係合構造体からスムーズに脱出可能である。【選択図】図１【図１】
0006030187.tif 000002
【図２】
0006030187.tif 000003
【図３】
0006030187.tif 000004
【図４】
0006030187.tif 000005
【図５】
0006030187.tif 000006
【図６】
0006030187.tif 000007
【図７】
0006030187.tif 000008
【図８】
0006030187.tif 000009
【図９】
0006030187.tif 000010
【図１０】
0006030187.tif 000011